(57)【特許請求の範囲】
【請求項１】
プリザーブドフラワーに香りが付加された香付きプリザーブドフラワーであって、
複数枚の花弁を有するプリザーブドフラワーと、
香料が浸潤され、該プリザーブドフラワーの花弁と同系色に染色され、前記プリザーブドフラワーの花弁と同形で表面積をやや小さく形成された人工花弁と、を有し、
該人工花弁は、前記プリザーブドフラワーの花弁より薄い布で形成され、前記人工花弁と同形状をした前記プリザーブドフラワーの花弁と花弁の間に取外可能に花弁に沿って嵌挿されたことを特徴とする香付きプリザーブドフラワー。
【請求項２】
複数枚の花弁を有するプリザーブドフラワーに香りを付加させるプリザーブドフラワーの香り付加方法であって、
香料を浸潤させ、前記プリザーブドフラワーの花弁と同系色に染色させ、前記プリザーブドフラワーの花弁と同形で表面積をやや小さく切断して人工花弁を生成する人工花弁生成工程と、
該人工花弁生成工程により生成された人工花弁を前記人工花弁と同形状をした前記プリザーブドフラワーの花弁と花弁の間に取外可能に花弁に沿って嵌挿させる人工花弁嵌挿工程と、を有し、
該人工花弁嵌挿工程により嵌挿された人工花弁は、前記プリザーブドフラワーの花弁より薄い布で形成されているプリザーブドフラワーの香り付加方法。
【発明の詳細な説明】
【技術分野】
【０００１】
本発明は、生花に保存加工を施したプリザーブドフラワーへの香料添加方法及びその添加材となる人工花弁に関するものである。
【背景技術】
【０００２】
従来、生花に保存加工を施したプリザーブドフラワー等においては、生花と違って花特有の香りが無くほぼ無臭である特徴を生かし、付加技術により花自体に香料を付着させたり、香料を浸透させた脱脂綿等を花床部分の間隔に挿着させることで、香りを楽しむ方法があった。
【発明の開示】
【発明が解決しようとする課題】
【０００３】
しかし付加技術により花自体に香料を付着させる方法では付着までに数日間の日数を要し、一度付着させた香りを再度変更することは困難であった。また、香料を浸透させた脱脂綿等を花床部分の間隔に挿着させる方法では、花床近傍の間隔に脱脂綿の体積を確保するのに充分な広さが必要なため、挿着可能な花が大輪のバラ等の極めて少品種に限定され、特に毎年５月の「母の日」にはプリサーブドフラワーの需要の大半を占めるカーネーションについては、挿着が不可能という欠点があった。また、挿着した脱脂綿が外部から見えると不自然であった。
本発明は上記の点に鑑みなされたものであり、短時間で容易に多品目のプリザーブドフラワーなどに香料が添加可能であり、着脱自在で簡易に香りの変更が可能であり、外部から見えても、花弁と一体化した自然なフォルムを保持できる、人工花弁による香料の添加方法を提供することを目的とする。
【課題を解決するための手段】
【０００４】
上記目的を達成するための本発明のうちの第１の態様に係るものは、プリザーブドフラワーに香りが付加された香付きプリザーブドフラワーであって、複数枚の花弁を有するプリザーブドフラワーと、香料が浸潤され、該プリザーブドフラワーの花弁と同系色に染色され、前記プリザーブドフラワーの花弁と同形で表面積をやや小さく形成された人工花弁と、を有し、該人工花弁は、前記プリザーブドフラワーの花弁より薄い布で形成され、前記人工花弁と同形状をした前記プリザーブドフラワーの花弁と花弁の間に取外可能に花弁に沿って嵌挿されたことを特徴とするものである。
【０００５】
また、本発明のうちの第２の態様に係るものは、複数枚の花弁を有するプリザーブドフラワーに香りを付加させるプリザーブドフラワーの香り付加方法であって、香料を浸潤させ、前記プリザーブドフラワーの花弁と同系色に染色させ、前記プリザーブドフラワーの花弁と同形で表面積をやや小さく切断して人工花弁を生成する人工花弁生成工程と、該人工花弁生成工程により生成された人工花弁を前記人工花弁と同形状をした前記プリザーブドフラワーの花弁と花弁の間に取外可能に花弁に沿って嵌挿させる人工花弁嵌挿工程と、を有し、該人工花弁嵌挿工程により嵌挿された人工花弁は、前記プリザーブドフラワーの花弁より薄い布で形成されるものである。
【発明の効果】
【０００６】
本発明は、香料が浸潤され、プリザーブドフラワーの花弁と同形で表面積をやや小さく形成された人工花弁を同形状をしたプリザーブドフラワーの花弁と花弁の間に取外可能に花弁に沿って嵌挿することにより、短時間で容易に香りを添加することができる。特に人工花弁は、花弁と同形で同系色でプリザーブドフラワーの花弁より薄い布で形成されているため、大きさ、色を当該のプリザーブドフラワーに準じて切断、染色することで、大小のバラ、カーネーション等、多品種のプリザーブドフラワーに適応が可能である。さらに脱脂綿のように体積が大きくないため、花床部分に無理な重圧をかけることも無く、花全体のフォルムが変形することもなく、よって自然な美しさを保持できる。また、人工花弁は、花弁に沿って嵌挿されているため、花弁と一体化し外部から見えても自然である。
【０００７】
また、人工花弁は簡易に着脱自在のため、香りの変更は人工花弁を取り外し、しばらくおいてから新たに別の香料を添加した人工花弁を当該の花に嵌挿することで可能である。
【０００８】
また、添加する香料を香水、オーデコロン、オードトワレ等にすることで、個人の嗜好に合う、毎年の流行に準じた新しい香りを添加することができる。花と香りをコラボレートさせることで、個性的で斬新なプリザーブドフラワー・アレンジメントを作成出きる効果を奏する。
【発明を実施するための最良の形態】
【０００９】
本発明の実施の形態を図１〜図４に則して説明する。図１は、プリザーブドフラワーのバラに嵌挿するための人工花弁の平面図、図２は、同じくカーネーションに嵌挿するための人工花弁の平面図、図３は、実施の形態を示すプリザーブドフラワーの斜視図、図４は、図３に示すプリザーブドフラワーの縦断面図である。
【００１０】
本実施の形態において、図１及び図２に示す人工花弁１、２は、プリザーブドフラワー３の花弁４と同系色に染色した薄手の布を、花弁４と同形で面積をやや小さく切断したものである。これにより、人工花弁１がプリザーブドフラワー３の形状を変形させることなく、花弁４と一体化した自然なフォルムを保持することが出来る。また、香料を添加することで、花弁４全面が香りを発するため、小さな花においても香りの効果が高まる。
【００１１】
尚、人工花弁１、２の材料は、布に限られるものではなく、プリザーブドフラワー３の重なり合った複数枚の花弁４の間隔に嵌挿できる程度の薄さを有しており、香料の添加、面積や形の調節が可能な素材であれば良い。
【００１２】
さらに、プリザーブドフラワーの花弁の大小により、人工花弁の大きさや使用枚数を適宣調節することがのぞましく、これにより図１、２の人工花弁は、それぞれバラ、カーネーション以外の類似した花弁にも嵌挿が可能である。
【図面の簡単な説明】
【００１３】
【図１】人工花弁（バラ）の平面図
【図２】人工花弁（カーネーション）の平面図
【図３】本発明の実施の形態を示すプリザーブドフラワーの斜視図
【図４】図３に示すプリザーブドフラワーの縦断面図
【符号の説明】
【００１４】
１ 人工花弁（バラ）
２ 人工花弁（カーネーション）
３ プリザーブドフラワー
４ 花弁
５ 茎
６ 咢
７ 人工花弁嵌挿具
【図１】
0004725750.tif 000002
【図２】
0004725750.tif 000003
【図３】
0004725750.tif 000004
【図４】
0004725750.tif 000005